(57)【要約】【課題】女性の年齢（加齢）や疲れなどによりたるんできたフェイスラインを、保湿加工の素材で包み込みフィット性、さらにリフトアップ性を持つフェイスマスク、そして使い捨てではなく洗濯して繰り返し使う事が可能なフェイスマスクを提供する。【解決手段】フェイスマスク１０のマスク本体１４の内側に保湿加工の素材を使用し、個人に合わせて、耳掛部１６に連結されたゴムベルト２０の長さをアジャスター１８によって調節できるものとした。また、保湿加工生地の内側にパワーネットを付け、ゴムベルト２０で調節して引き上げることにより、顎から頬にかけてのフィット感がえられ、さらにリフトアップ性を有する事が出来る。【選択図】図３
0003190858.tif 000002
【実用新案登録請求の範囲】
【請求項１】
被着者の顔面の一部に装着され、被着者の顔面の一部に当接される内側面に保湿加工の素材が使用され、かつ、被着者の顎に当接される部分に弾性力を有するネット部材が備えられた矩形状のマスク本体と、
前記マスク本体の両側に取り付けられ、被着者の耳に掛けられる一対の耳掛部と、
前記一対の耳掛部に両端が連結され、長さ調整用のアジャスターを備えたベルトと、
から成るフェイスマスクであって、
被着者一人ひとりに合った前記フェイスマスクを構成するために、前記耳掛部に前記ベルトが連結され、ベルトの長さが前記アジャスターによって調整可能とし、前記マスク本体の内側には前記保湿加工の素材が使用され、さらに顎に当たる部分の内部に前記ネット部材が内蔵される事により顎の下から頬にかけて、前記ベルトの長さを調節する事によりリフトアップ性を備えたことを特徴とするフェイスマスク。
【請求項２】
前記マスク本体の表布と内側の布の両脇にダーツが配置されることにより、前記マスク本体を立体的な形状とした請求項１に記載のフェイスマスク。
【考案の詳細な説明】
【技術分野】
【０００１】
本考案は、マスクの内側に保湿加工のニット素材を使用し、顎にあたる部分にパワーネットを内蔵し、引っ張って耳から頭頂部に着用するアジャスター調節付きゴムベルトを有し、これらによりリフトアップ性を備えたフェイスマスクに関する。
【背景技術】
【０００２】
被着者のフェイス（顔面）を保湿するタイプのマスクは、多くは不織布で出来ているもの(１回使い捨てタイプ)で、従来から提案されている。これらのマスクは、化粧水や美容液がしみ込んでおり、それを顔全体に当てる事によって、化粧水や美容液が顔全体に長くしみわたる様にするものである。
特許文献１には顔面と同時に顎裏全体や首部の手入れが出来る立体的なシートマスクが開示されている。このマスクによれば、顔だけでなく顎まで覆う事が出来るマスクである。特許文献２は耳かけ式のリフトアップ性を有するフェイスマスクであるが不織布と記されている。
【先行技術文献】
【特許文献】
【０００３】
【特許文献１】特許公開２０１３−９９５９７号
【特許文献２】登録実用新案第３１８７０８６号
【考案の概要】
【考案が解決しようとする課題】
【０００４】
しかしながら、特許文献１、２のフェイスマスクは、不織布のシートタイプであるがために使い捨てになる。
【０００５】
また、特許文献１、２のフェイスマスクは、顎にかけて固定し、顔面に密着する様に作られているが、顔の大きさには個人差もあるが故、すべての人の顔の大きさに対応出来るものではないと考えられる。
【０００６】
本考案は、このような事情に鑑みてなされたもので、被着者一人ひとりに合ったフェイスマスクを形成するために耳かけの後ろにゴムベルトを付け、個人に合わせてゴムベルトの長さをアジャスターによって調整できるようにしたフェイスマスクを提供する。また、フェイスマスクの内側には保湿加工の素材を使い、さらに顎に当たる部分の内部にパワーネットを内蔵する事により顎の下から頬にかけて、前記ゴムベルトの長さを調節する事によりリフトアップ性を有するフェイスマスクを提供することを目的とする。
【課題を解決するための手段】
【０００７】
本考案は、前記目的を達成するために、被着者の顔面の一部に装着され、被着者の顔面の一部に当接される内側面に保湿加工の素材が使用され、かつ、被着者の顎に当接される部分に弾性力を有するネット部材が備えられた矩形状のマスク本体と、前記マスク本体の両側に取り付けられ、被着者の耳に掛けられる一対の耳掛部と、前記一対の耳掛部に両端が連結され、長さ調整用のアジャスターを備えたベルトと、から成るフェイスマスクであって、被着者一人ひとりに合った前記フェイスマスクを構成するために、前記耳掛部に前記ベルトが連結され、ベルトの長さが前記アジャスターによって調整可能とし、前記マスク本体の内側には前記保湿加工の素材が使用され、さらに顎に当たる部分の内部に前記ネット部材が内蔵される事により顎の下から頬にかけて、前記ベルトの長さを調節する事によりリフトアップ性を備えたことを特徴とするフェイスマスクを提供する。
本考案によれば、内側全体は保湿加工の素材になり、表布との間にパワーネット素材を内蔵させて顔に当て、耳掛部に連結されたゴムベルト部のアジャスターによって、ゴムベルトの長さを調節する事により個人の顔、頭の大きさに合わせて装着する事が出来るマスクである。
また、本考案によれば、前記マスク本体の表布と内側の布の両脇にダーツが配置されることにより、前記マスク本体を立体的な形状としたことが好ましい。
本考案によれば、表布と内側の布の両脇にダーツを配置することで、マスク本体が立体的な形状になり、顔の鼻から下顎にかけてのフィット感を良くすることが出来て、被着者に快適な装着感を与える事が出来る。
不織布ではないので洗濯して何度も使う事が出来る。
【考案の効果】
【０００８】
本考案によれば、被着者一人ひとりに合ったフェイスマスクを構成するために耳掛部にゴムベルトを連結し、個人に合わせてアジャスターで調整できるようにし、フェイスマスクの内側には保湿加工の素材を使い、さらに顎に当たる部分の内部にパワーネットを内蔵する事により顎の下から頬にかけて、ゴムベルトの長さを調節する事によりリフトアップ性を有するフェイスマスクを提供できる。
【図面の簡単な説明】
【０００９】
【図１】本考案の保湿するフェイスマスクを内側から見た図である。
【図２】本考案の保湿するフェイスマスクの正面図である。
【図３】本考案の保湿するフェイスマスクを装着した説明図である。
【考案を実施するための形態】
【００１０】
以下、添付図面に従って本考案の保湿するフェイスマスクの好ましい形態について説明する。
図１は、本考案の保湿するフェイスマスク１０を内側から見た斜視図、図２は、図１のフェイスマスク１０の要部正面図、図３は、図１、２のフェイスマスク１０を被着者１２が装着した説明図である。
実施形態のフェイスマスク１０は、マスク本体１４、耳掛部１６、１６、及びアジャスター１８付きの長さ調節用ゴムベルト（ベルト）２０から構成される。
マスク本体１４は、洗濯によって繰り返し使用可能な素材で構成されている。また、マスク本体１４は、図２の平面図の如く、矩形状のマスク本体１４の表布と内側の布の両脇にダーツ２２、２２を備えることにより、丸みを帯びた立体形状に構成され、図３の如く被着者１２の鼻、口元、口元から顎、及び頬にかけた顔面の一部を覆うサイズに構成される。
更に、マスク本体１４は、図１の如く、その内側面の素材として保湿加工されたニット素材２４が使用される。更にまたマスク本体１４は、被着者１２（図３参照）の顎を覆う部分２６に、弾性をもって伸縮自在なパワーネット（ネット部材：図１の破線で示す部材）３０が内蔵されている。
耳掛部１６、１６は、マスク本体１４の両側の短辺部に両端部が縫い付けられており、マスク本体１４の短辺部と耳掛部１６とによってリング状を成し、図３の如く、被着者１２の耳に掛けられる。
ゴムベルト２０の両端部は、耳掛部１６、１６にリング状の金具２８を介して連結されており、周知のアジャスター１８によって、ゴムベルト２０の長さが調節される構成となっている。
上記の如く構成されたフェイスマスク１０によれば、まず、耳掛部１６、１６を被着者１２の耳に装着し、マスク本体１４を被着者１２の顔面の所定の位置に位置決めする。
次に、ゴムベルト２０を図３の如く、被着者１２の頭頂部に装着する。この後、アジャスター１８を利用してゴムベルト２０の長さを調節する。すなわち、被着者１２の顔のサイズに合わせて、ゴムベルト２０の長さを短くしたり長くしたりする。以上の手順によってフェイスマスク１０が被着者１２の顔面の一部に装着される。
フェイスマスク１０が装着された被着者１２は、ゴムベルト２０及び耳掛部１６、１６を介して、顎を覆う部分２６が、前記パワーネットの弾性力と相まって、顎に弾性をもって密着される。また、被着者１２の頬は、頭頂部に向けて引っ張られているパワーネットの弾性力によって頭頂部に向けて引っ張られる。これにより、フェイスマスク１０は、
リフトアップ性を備えることができる。
したがって、実施形態の保湿性を備えたフェイスマスク１０によれば、女性の年齢（加齢）や疲れなどによりたるんできたフェイスラインを、保湿加工の素材で包み込み、また、保湿加工生地の内側にパワーネットを付け、アジャスター１８付きのゴムベルト２０の長さを調節して引き上げることで、顎から頬にかけてのフィット感がえられリフトアップ性を有する事が出来る。
また、２２ダーツは表布、内布の左右2か所、配置する事により、マスク本体１４が立体的になり顔の鼻から下顎にかけてのフィット感を良くすることが出来て、被着者１２はより快適に過ごすことができる。
【符号の説明】
【００１１】
１０…フェイスマスク、１２…被着者、１４…マスク本体、１６…耳掛部、１８…アジャスター、２０…ゴムベルト、２２…ダーツ、２４…ニット素材、２６…顎を覆う部分、２８…金具、３０…パワーネット
【図１】
0003190858.tif 000003
【図２】
0003190858.tif 000004
【図３】
0003190858.tif 000005